(57)【要約】【課題】耐オゾン性に優れるとともに、様々な水溶性有機溶剤が存在する環境下における色調変化が抑制され、より均一な色調を有する画像を記録可能であり、耐固着性にも優れるインクを提供する。【解決手段】第１の色材及び第２の色材を含有し、これらの含有量の合計が６．０質量％以下のインクである。第１の色材が、１，２−ヘキサンジオール２０．０質量％水溶液中での最大吸収波長及び水中での最大吸収波長の差Δλmax1が２０．０以上であるブラック色材であり、第２の色材が、１，２−ヘキサンジオール２０．０質量％水溶液中での最大吸収波長及び水中での最大吸収波長の差Δλmax2が１２．０以下である特定の色材であり、Δλmax1及びΔλmax2の和が３５．０以下である。【選択図】なし【特許請求の範囲】
【請求項１】
第１の色材及び第２の色材を含有するインクジェット用のインクであって、
前記第１の色材が、ＵＶ−Ｖｉｓ吸収スペクトルにおける、１，２−ヘキサンジオール２０．０質量％水溶液中での最大吸収波長（λmaxD1）及び水中での最大吸収波長（λmaxW1）の差Δλmax1（＝λmaxD1−λmaxW1）が２０．０以上であるブラック色材であり、
前記第２の色材が、ＵＶ−Ｖｉｓ吸収スペクトルにおける、１，２−ヘキサンジオール２０．０質量％水溶液中での最大吸収波長（λmaxD2）及び水中での最大吸収波長（λmaxW2）の差Δλmax2（＝λmaxD2−λmaxW2）が１２．０以下である色材であり、
前記Δλmax1及び前記Δλmax2の和が３５．０以下であり、
前記第２の色材が、下記一般式（II）で表される化合物、Ｃ．Ｉ．フードブラック２、下記一般式（III）で表される化合物、Ｃ．Ｉ．ダイレクトブルー１９９、下記一般式（IV）で表される化合物、下記一般式（Ｖ）で表される化合物、Ｃ．Ｉ．ダイレクトレッド２２７、Ｃ．Ｉ．アシッドレッド２８９、下記一般式（VI）で表される化合物、下記一般式（VII）で表される化合物、Ｃ．Ｉ．アシッドレッド２４９、Ｃ．Ｉ．ダイレクトイエロー１３２、Ｃ．Ｉ．アシッドイエロー２３、Ｃ．Ｉ．アシッドイエロー１７、及び下記一般式（VIII）で表される化合物からなる群より選ばれる少なくとも１種であり、
インク中の前記第１の色材の含有量（質量％）及び前記第２の色材の含有量（質量％）の合計が、インク全質量を基準として６．０質量％以下であることを特徴とするインク。
2014065895.tif 000043
（前記一般式（II）中、Ｒ4及びＲ5はそれぞれ独立に、ヒドロキシ基で置換された炭素数１乃至４のアルコキシ基を表し、ｎは１乃至３を表し、Ｍはそれぞれ独立に、水素原子、アルカリ金属、アンモニウム、又は有機アンモニウムを表す）
2014065895.tif 000044
（前記一般式（III）中、Ｒ6及びＲ7はそれぞれ独立に、アニオン性基で置換されていてもよいアリール基を表し、Ｍはそれぞれ独立に、水素原子、アルカリ金属、アンモニウム、又は有機アンモニウムを表す）
2014065895.tif 000045
（前記一般式（IV）中、Ｒ8はそれぞれ独立に、炭素数１乃至４のアルキル基を表し、前記アルキル基は、アニオン性基、スルホンアミド基、ヒドロキシ基、炭素数１乃至４のアルキル基、又はこれらのうち少なくとも２つを組み合わせた基で置換されていてもよく、ｎは３又は４を表す）
2014065895.tif 000046
（前記一般式（Ｖ）中、破線で表される環Ａ、Ｂ、Ｃ及びＤは、それぞれ独立に芳香環又は複素芳香環を表し、Ｒ9は１乃至３個のアニオン性基で置換されたアニリノ基を表し、Ｒ10はアミノ基又は炭素数１乃至４のアルコキシ基を表し、Ｒ11は炭素数１乃至４のアルキレン基を表し、Ｍはそれぞれ独立に、水素原子、アルカリ金属、アンモニウム、又は有機アンモニウムを表し、ｌは０乃至４、ｍは１乃至３、ｎは１乃至３、ｌ＋ｍ＋ｎは１乃至４を表す）
2014065895.tif 000047
（前記一般式（VI）中、Ｒ12、Ｒ13、Ｒ14、及びＲ15はそれぞれ独立に、炭素数１乃至４のアルキル基を表し、Ｍはそれぞれ独立に、水素原子、アルカリ金属、アンモニウム、又は有機アンモニウムを表す）
2014065895.tif 000048
（前記一般式（VII）中、Ｒ16は水素原子又は炭素数１乃至４のアルキル基を表し、Ｒ17は１乃至３個のアニオン性基で置換されたアリールオキシ基、又はヒドロキシ基を表し、ｎは１又は２を表し、ｎ＝１のときＲ18は１乃至３のアニオン性基で置換されたアリール基を表し、ｎ＝２のときＲ18は炭素数１乃至４のアルキレン基を表し、Ｍはそれぞれ独立に、水素原子、アルカリ金属、アンモニウム、又は有機アンモニウムを表す）
2014065895.tif 000049
（前記一般式（VIII）中、Ｒ19はアニオン性基を有する炭素数１乃至４の脂肪族アミン残基を表し、Ｒ20はそれぞれ独立に、水素原子、炭素数１乃至４のアルキル基、又は炭素数１乃至４のアルコキシ基を表し、前記アルキル基及びアルコキシ基はアニオン性基で置換されていてもよく、ｎは０又は１を表し、Ｍは、それぞれ独立に水素原子、アルカリ金属、アンモニウム、又は有機アンモニウムを表し、ｌ及びｍはそれぞれ独立に１又は２を表す）
【請求項２】
前記第２の色材が、前記一般式（II）で表される化合物、Ｃ．Ｉ．フードブラック２、Ｃ．Ｉ．ダイレクトブルー１９９、前記一般式（IV）で表される化合物、前記一般式（Ｖ）で表される化合物、Ｃ．Ｉ．ダイレクトレッド２２７、Ｃ．Ｉ．アシッドレッド２８９、前記一般式（VI）で表される化合物、前記一般式（VII）で表される化合物、Ｃ．Ｉ．アシッドレッド２４９、Ｃ．Ｉ．アシッドイエロー２３、Ｃ．Ｉ．アシッドイエロー１７、及び前記一般式（VIII）で表される化合物からなる群より選ばれる少なくとも１種である請求項１に記載のインク。
【請求項３】
前記第２の色材のΔλmax2が０．０以下であり、かつ、前記Δλmax1及び前記Δλmax2の和が２０．０以下である請求項１又は２に記載のインク。
【請求項４】
前記第２の色材が、前記一般式（VIII）で表される化合物である請求項１乃至３のいずれか１項に記載のインク。
【請求項５】
前記一般式（VIII）で表される化合物におけるＲ19が、−ＮＨ−ＣＨ2ＣＨ2−ＳＯ3Ｍ（Ｍは、水素原子、アルカリ金属、アンモニウム、又は有機アンモニウムを表す）である請求項４に記載のインク。
【請求項６】
前記第１の色材が、下記一般式（Ｉ）で表される化合物である請求項１乃至５のいずれか１項に記載のインク。
2014065895.tif 000050
（前記一般式（Ｉ）中、Ｒ1及びＲ2はそれぞれ独立に、アニオン性基で置換されていてもよい、炭素数１乃至４のアルキル基又はアリール基を表し、Ｒ3はアリール基を表し、前記アリール基はシアノ基又はアニオン性基で置換されていてもよく、Ｍはそれぞれ独立に、水素原子、アルカリ金属、アンモニウム、又は有機アンモニウムを表す）
【請求項７】
インク中の前記第１の色材の含有量（質量％）及び前記第２の色材の含有量（質量％）の合計が、インク全質量を基準として１．０質量％以上である請求項１乃至６のいずれか１項に記載のインク。
【請求項８】
インク全質量を基準とした、前記第１の色材の含有量（質量％）が、前記第２の色材の含有量（質量％）に対する質量比率で、１．０倍以上１０．０倍以下である請求項１乃至７のいずれか１項に記載のインク。
【請求項９】
さらに、グリセリンを含有する請求項１乃至８のいずれか１項に記載のインク。
【請求項１０】
以下の条件Ａ及び条件Ｂの少なくとも一方と、条件Ｃと、を満足する請求項９に記載のインク。
条件Ａ：ＬｏｇＰ値が−１．８以上０．０未満である第１の水溶性有機溶剤を含有し、インク全質量を基準とした、前記第１の水溶性有機溶剤の含有量（質量％）が、前記グリセリンの含有量（質量％）に対する質量比率で、０．３倍以上６．０倍以下である。
条件Ｂ：ＬｏｇＰ値が０．０以上０．９以下である第２の水溶性有機溶剤を含有し、インク全質量を基準とした、前記第２の水溶性有機溶剤の含有量（質量％）が、前記グリセリンの含有量（質量％）に対する質量比率で、０．２倍以上１．０倍以下である。
条件Ｃ：インク全質量を基準とした、ＬｏｇＰ値が−１．８以上０．９以下の水溶性有機溶剤の含有量（質量％）が、前記グリセリンの含有量（質量％）に対する質量比率で、０．２倍以上６．０倍以下である。
【請求項１１】
前記第１の水溶性有機溶剤が、主鎖の両末端にヒドロキシ基を有し、２つの前記ヒドロキシ基の間に存在する主鎖の原子数が４乃至６個の化合物である請求項１０に記載のインク。
【請求項１２】
インクと、前記インクを収容するインク収容部とを備えたインクカートリッジであって、
前記インクが、請求項１乃至１１のいずれか１項に記載のインクであることを特徴とするインクカートリッジ。
【請求項１３】
インクをインクジェット方式の記録ヘッドから吐出して記録媒体に画像を記録するインクジェット記録方法であって、
前記インクが、請求項１乃至１１のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
インクジェット記録方法は、インク小滴を普通紙などの記録媒体に付与して画像を形成する記録方法であり、その低価格化、記録速度の向上により、急速に普及が進んでいる。一般に、インクジェット記録方法で得られた記録物は、銀塩写真と比較してその画像の堅牢性が低い。特に、記録物が、光、湿度、熱、空気中に存在するオゾンガスなどの環境ガスに長時間さらされた際に、記録物の色材が劣化し、画像の色調変化や褪色が発生しやすいといった問題がある。
【０００３】
ブラックの色相を有するインクを用いて記録した画像の褪色は、色材の劣化による色調の変化を伴うことが多い。このような問題に対して、耐オゾン性に優れた構造を有する色材を含有するインクを用いることで、画像の耐オゾン性を向上させることに関する種々の提案がなされている。例えば、会合しやすい分子構造を有する化合物をブラック色材として使用することで、耐オゾン性が向上した画像を記録しうるインクに関する提案がある（特許文献１及び２参照）。
【先行技術文献】
【特許文献】
【０００４】
【特許文献１】特開２００５−１３９４２７号公報
【特許文献２】国際公開第２０１２／０１４９５４号
【発明の概要】
【発明が解決しようとする課題】
【０００５】
特許文献１及び２にも記載されているように、新規な構造を有する色材（染料）については、電子求引性基の導入により酸化電位を高めるとともに、電子移動を抑制することで、酸化されにくいように構造設計することが近年の主流となっている。しかし、このように設計された色材は分極しやすく、会合しやすい。このため、画像の耐オゾン性は向上するものの、会合状態が変化した場合に色調変化が生じやすいといった課題がある。
【０００６】
色材の会合状態の変化は、インクの極性、より具体的にはインク中の水や水溶性有機溶剤などの誘電率の違いによって生ずる。インクジェット記録方法では、所望とする色調を有する画像を記録するために、記録媒体に複数のインクを重ねて付与することが一般的である。しかし、重ねて付与される別のインクに含まれる水溶性有機溶剤が会合しやすい色材に影響を及ぼして色調が変化してしまい、所望とする色調を有する画像を記録することができない場合があった。色調変化は、ニュートラルな色相、つまり、ＣＩＥ（国際照明委員会）により規定されたＬ*ａ*ｂ*表示系におけるａ*及びｂ*が０に近い領域ほど視認されやすい。このため、ブラック色材を含有するインクにおいては重要な課題である。
【０００７】
さらに、画像の耐オゾン性を高めるために会合しやすい構造に設計された色材を含有するインクにおいては、記録ヘッドの吐出口から水などの液体成分が蒸発し、インクが濃縮されると、色材が凝集しやすく、耐固着性が低下するという特有の課題が生じる。
【０００８】
したがって、本発明の目的は、耐オゾン性に優れるとともに、様々な水溶性有機溶剤が存在する環境下における色調変化が抑制され、より均一な色調を有する画像を記録可能であり、耐固着性にも優れるインクを提供することにある。また、本発明の別の目的は、前記インクを用いたインクカートリッジ、及びインクジェット記録方法を提供することにある。
【課題を解決するための手段】
【０００９】
上記の目的は以下の本発明によって達成される。すなわち、本発明によれば、第１の色材及び第２の色材を含有するインクジェット用のインクであって、前記第１の色材が、ＵＶ−Ｖｉｓ吸収スペクトルにおける、１，２−ヘキサンジオール２０．０質量％水溶液中での最大吸収波長（λmaxD1）及び水中での最大吸収波長（λmaxW1）の差Δλmax1（＝λmaxD1−λmaxW1）が２０．０以上であるブラック色材であり、前記第２の色材が、ＵＶ−Ｖｉｓ吸収スペクトルにおける、１，２−ヘキサンジオール２０．０質量％水溶液中での最大吸収波長（λmaxD2）及び水中での最大吸収波長（λmaxW2）の差Δλmax2（＝λmaxD2−λmaxW2）が１２．０以下である色材であり、前記Δλmax1及び前記Δλmax2の和が３５．０以下であり、前記第２の色材が、下記一般式（II）で表される化合物、Ｃ．Ｉ．フードブラック２、下記一般式（III）で表される化合物、Ｃ．Ｉ．ダイレクトブルー１９９、下記一般式（IV）で表される化合物、下記一般式（Ｖ）で表される化合物、Ｃ．Ｉ．ダイレクトレッド２２７、Ｃ．Ｉ．アシッドレッド２８９、下記一般式（VI）で表される化合物、下記一般式（VII）で表される化合物、Ｃ．Ｉ．アシッドレッド２４９、Ｃ．Ｉ．ダイレクトイエロー１３２、Ｃ．Ｉ．アシッドイエロー２３、Ｃ．Ｉ．アシッドイエロー１７、及び下記一般式（VIII）で表される化合物からなる群より選ばれる少なくとも１種であり、インク中の前記第１の色材の含有量（質量％）及び前記第２の色材の含有量（質量％）の合計が、インク全質量を基準として６．０質量％以下であることを特徴とするインクが提供される。
2014065895.tif 000002
（前記一般式（II）中、Ｒ4及びＲ5はそれぞれ独立に、ヒドロキシ基で置換された炭素数１乃至４のアルコキシ基を表し、ｎは１乃至３を表し、Ｍはそれぞれ独立に、水素原子、アルカリ金属、アンモニウム、又は有機アンモニウムを表す）
2014065895.tif 000003
（前記一般式（III）中、Ｒ6及びＲ7はそれぞれ独立に、アニオン性基で置換されていてもよいアリール基を表し、Ｍはそれぞれ独立に、水素原子、アルカリ金属、アンモニウム、又は有機アンモニウムを表す）
2014065895.tif 000004
（前記一般式（IV）中、Ｒ8はそれぞれ独立に、炭素数１乃至４のアルキル基を表し、前記アルキル基は、アニオン性基、スルホンアミド基、ヒドロキシ基、炭素数１乃至４のアルキル基、又はこれらのうち少なくとも２つを組み合わせた基で置換されていてもよく、ｎは３又は４を表す）
2014065895.tif 000005
（前記一般式（Ｖ）中、破線で表される環Ａ、Ｂ、Ｃ及びＤは、それぞれ独立に芳香環又は複素芳香環を表し、Ｒ9は１乃至３個のアニオン性基で置換されたアニリノ基を表し、Ｒ10はアミノ基又は炭素数１乃至４のアルコキシ基を表し、Ｒ11は炭素数１乃至４のアルキレン基を表し、Ｍはそれぞれ独立に、水素原子、アルカリ金属、アンモニウム、又は有機アンモニウムを表し、ｌは０乃至４、ｍは１乃至３、ｎは１乃至３、ｌ＋ｍ＋ｎは１乃至４を表す）
2014065895.tif 000006
（前記一般式（VI）中、Ｒ12、Ｒ13、Ｒ14、及びＲ15はそれぞれ独立に、炭素数１乃至４のアルキル基を表し、Ｍはそれぞれ独立に、水素原子、アルカリ金属、アンモニウム、又は有機アンモニウムを表す）
2014065895.tif 000007
（前記一般式（VII）中、Ｒ16は水素原子又は炭素数１乃至４のアルキル基を表し、Ｒ17は１乃至３個のアニオン性基で置換されたアリールオキシ基、又はヒドロキシ基を表し、ｎは１又は２を表し、ｎ＝１のときＲ18は１乃至３のアニオン性基で置換されたアリール基を表し、ｎ＝２のときＲ18は炭素数１乃至４のアルキレン基を表し、Ｍはそれぞれ独立に、水素原子、アルカリ金属、アンモニウム、又は有機アンモニウムを表す）
2014065895.tif 000008
（前記一般式（VIII）中、Ｒ19はアニオン性基を有する炭素数１乃至４の脂肪族アミン残基を表し、Ｒ20はそれぞれ独立に、水素原子、炭素数１乃至４のアルキル基、又は炭素数１乃至４のアルコキシ基を表し、前記アルキル基及びアルコキシ基はアニオン性基で置換されていてもよく、ｎは０又は１を表し、Ｍは、それぞれ独立に水素原子、アルカリ金属、アンモニウム、又は有機アンモニウムを表し、ｌ及びｍはそれぞれ独立に１又は２を表す）
【発明の効果】
【００１０】
本発明によれば、耐オゾン性に優れるとともに、様々な水溶性有機溶剤が存在する環境下における色調変化が抑制され、より均一な色調を有する画像を記録可能であり、耐固着性にも優れるインクを提供することができる。また、本発明によれば、このインクを用いたインクカートリッジ、及びインクジェット記録方法を提供することができる。
【図面の簡単な説明】
【００１１】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【図３】低極性環境下及び高極性環境下における色材のエネルギー準位を模式的に説明する概念図である。
【図４】低極性環境下及び高極性環境下における色材のエネルギー準位を模式的に説明する概念図である。
【発明を実施するための形態】
【００１２】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。なお、本発明においては、各種の物性値は２５℃における値とする。
【００１３】
本発明のインクに含有される第１の色材は、分子を会合させやすくすることによって耐オゾン性を向上させた色材である。分子の会合は、一般的にはイオン結合、双極子−双極子相互作用、ファンデルワールス力などの分子間力により生ずる。インクに含有させる色材として利用する場合、インク中での会合力及び凝集抑制のバランスという観点から、双極子−双極子相互作用を利用して分子を会合させることが最も好ましい。双極子−双極子相互作用とは、電気陰性度の異なる複数の原子が結合している場合に、これらの原子間に電荷の偏り（分極）が生じ、その分極により分子同士が静電的に引き寄せられる現象をいう。
【００１４】
分極を生じている色材の基底状態（ＨＯＭＯ）は、周囲に存在する物質の誘電率の影響を受ける場合がある。図３に示すように、例えば、高極性環境下（高誘電率の物質が存在する場合）においては、色材の分極が安定化される。このため、高極性環境下における基底状態（ＨＯＭＯ）のエネルギー準位は、低極性環境下（低誘電率の物質が存在する場合）における基底状態（ＨＯＭＯ）のエネルギー準位と比較して顕著に低下する場合がある。これに対して、このような分極を生じている色材の励起状態（ＬＵＭＯ）は、分極とは逆の方向、つまり、分極を弱める方向に電子が流れるため、分極が小さい状態となる。このため、励起状態（ＬＵＭＯ）のエネルギー準位は、基底状態（ＨＯＭＯ）のエネルギー準位と比較して、周囲に存在する物質の誘電率の影響を受けにくく、高極性環境下と低極性環境下とであまり変わらない。したがって、分子内でこのように分極している第１の色材は、高極性環境下と低極性環境下とでＨＯＭＯ−ＬＵＭＯのバンドギャップに差が生じ、色調変化を生ずる。この現象は、ソルバトクロミズムと呼ばれるものである。このような第１の色材をインクに用いた場合、色材の置かれる環境の違い（周囲に存在する物質の誘電率の違い）により、色材の最大吸収波長がシフトし、色調変化が生ずることになる。
【００１５】
本発明者らは、前述の課題を解決すべく検討した結果、様々な水溶性有機溶剤が存在する環境下においても、色調変化が抑制された画像を記録可能なインクの構成を見出した。本発明のインクに用いる第１の色材は、画像の耐オゾン性を高めるために、会合しやすい分子構造を有するブラック色材である。ブラック色材の分子が会合しやすいことを示すひとつの指標として、低極性及び高極性の各環境下における最大吸収波長の差Δλmaxがある程度大きいことが挙げられる。そして、本発明においては、このような第１の色材ととともに、低極性及び高極性の各環境下における最大吸収波長の差Δλmaxが小さい（最大吸収波長があまりシフトしない）、ないしは第１の色材と逆方向にシフトする第２の色材をインクに含有させる。これにより、他のインクと組み合わせて種々の水溶性有機溶剤が存在する環境下となった場合であっても、最大吸収波長のシフトが小さいないしは相殺され、均一な色調が保持された画像を記録可能なインクとすることができる。
【００１６】
具体的には、本発明のインクは、以下の条件を満たす第１の色材及び第２の色材を含有する。第１の色材は、１，２−ヘキサンジオール２０．０質量％水溶液中での最大吸収波長（λmaxD1）及び水中での最大吸収波長（λmaxW1）の差Δλmax1（＝λmaxD1−λmaxW1）が２０．０以上のブラック色材である。また、第２の色材は、１，２−ヘキサンジオール２０．０質量％水溶液中での最大吸収波長（λmaxD2）及び水中での最大吸収波長（λmaxW2）の差Δλmax2（＝λmaxD2−λmaxW2）が１２．０以下の色材である。さらに、Δλmax1及びΔλmax2の和が３５．０以下であることを要する。なお、λmaxは、色材のＵＶ−Ｖｉｓ吸収スペクトルにおける可視領域（３８０〜７５０ｎｍ）の最大吸収波長のことであり、分光光度計を使用して測定することができる。
【００１７】
第１の色材のΔλmax1が２０．０未満であると、分子の分極が小さくなるため、会合力が小さく、記録される画像の耐オゾン性が不十分となる。また、第２の色材のΔλmax2が１２．０超であると、吸収波長のシフトが第１の色材と同じ方向で、かつ、大きい。このため、他のインクに含まれる水溶性有機溶剤による色調変化を抑制することができない。さらに、Δλmax2が１２．０超であると、第１の色材と同様に、第２の色材も分子の分極が大きくなる。このような第２の色材を含有するインクで記録した画像では、記録媒体に含まれるカチオン性成分（アルミナやその水和物、カチオン性樹脂、填料など）に第２の色材が吸着しやすくなる。このため、第２の色材が記録媒体の表面やその近傍に定着しやすくなる。結果として、記録媒体へのさらなるインクの浸透が抑制されるため、インクが記録媒体の表面にあふれた状態、つまりブロンズ現象が生じやすくなる場合がある。また、Δλmax1とΔλmax2の和が３５．０超であると、他のインクに含まれる水溶性有機溶剤による色調変化を抑制することができない。他のインクに含まれる水溶性有機溶剤による色調変化をより顕著に抑制するためには、第２の色材のΔλmax2が０．０以下であり、かつ、Δλmax1とΔλmax2の和が２０．０以下であることが特に好ましい。
【００１８】
会合状態と非会合状態とが混在する色材においては、その吸収スペクトルに複数の極大吸収波長を有する場合がある。そして、会合状態及び非会合状態をそれぞれに表す極大吸収波長におけるピーク形状（高さ）は、用いる液媒体によって変わる場合がある。本発明における最大吸収波長とは、以下を意味する。すなわち、水中での吸収スペクトルを基準とし、１，２−ヘキサンジオール２０．０質量％水溶液中における吸収スペクトルの最大吸収波長が変化した場合においても、水中での最大吸収波長由来のピークを最大吸収波長とする。以下、可視領域に２つの吸収極大を持つ色材であって、水中では長波長側に存在するピークの吸光度が最も高く、１，２−ヘキサンジオール２０．０質量％水溶液中では短波長側に存在するピークの吸光度が最も高くなるものを例に挙げて説明する。本発明においては最も高い吸光度を与える波長のシフトを考慮することが重要であるため、１，２−ヘキサンジオール２０．０質量％水溶液中での最大吸収波長は、水中での最大吸収波長由来のピークである、長波長側の極大吸収波長であることとする。
【００１９】
本発明では、水（イオン交換水や脱イオン水が好適である）及び１，２−ヘキサンジオールの２０．０質量％水溶液を色材希釈用の液媒体とし、分光光度計を使用して最大吸収波長を測定する。これは、水性のインクジェット用に適したインクに好適に使用可能な溶媒の誘電率の上限と下限を想定している。すなわち、他のインクと重ね合わせて画像を記録する際に、色材が影響を受け得る誘電率（極性）の幅を表すと言える。本発明のインクでは、水中及び１，２−ヘキサンジオールの２０．０質量％水溶液中の誘電率の範囲で色調変化を示す色材を特に好適に用いることができる。
【００２０】
第１の色材は、画像の耐オゾン性を高めるために、分子の分極を大きくすることによって会合力を大きくするように設計された構造を有する色材である。会合力が大きい色材を含有するインクにおいては、記録ヘッドの吐出口から水などの液体成分が蒸発し、インクが濃縮されると、色材が凝集しやすく、耐固着性が低下するという特有の課題が生じる。本発明のインクでは、第１の色材に加えて、他のインクに含まれる水溶性有機溶剤による色調変化を抑制するために、特定の色材を併用する必要がある。このように、Δλmax1が大きい第１の色材に加えて、さらに第２の色材を含有するインクの場合、色材が特に凝集しやすくなり、耐固着性が顕著に低下しやすい。したがって、本発明においては、インク中の第１の色材の含有量及び第２の色材の含有量の合計を、６．０質量％以下に抑える必要がある。前記合計が６．０質量％超であると、固着が生じ易く、正常な記録を行うためにはインクジェット記録装置の回復（クリーニング）操作を多数回行う必要があり、耐固着性が不十分となる。
【００２１】
＜インク＞
以下、本発明のインクを構成する各成分について詳細に説明する。
【００２２】
（第１の色材）
第１の色材は、１，２−ヘキサンジオール２０．０質量％水溶液中での最大吸収波長（λmaxD1）及び水中での最大吸収波長（λmaxW1）の差Δλmax1（＝λmaxD1−λmaxW1）が２０．０以上のブラック色材である。Δλmax1が２０．０未満であると、記録される画像の耐オゾン性が不十分となる。また、他のインクに含まれる水溶性有機溶剤による色調変化を十分に抑制するためには、Δλmax1の上限は３０．０以下であることが好ましい。
【００２３】
上述の通り、第１の色材は、分子を会合させやすくすることによって耐オゾン性を向上させた色材である。一概には言えないが、カルボニル基や複素芳香環のような非共有電子対を有する化合物や、複数の非共役電子対を有するとともに、それらが共役している化合物は、会合しやすく、Δλmax1が２０．０以上となる傾向にある。例えば、複素芳香環は窒素原子や硫黄原子が非共有電子対を有するため、ベンゼン環に比べて電気陰性度が高く、電荷に偏りが生じている。複数の非共有電子対が共役している場合は、それらの非共有電子対が共役を介して移動することで分極が生ずると考えられる。
【００２４】
本発明におけるブラック色材とは、色材を水で２０，０００から４０，０００倍（質量基準）に希釈した水溶液について、分光光度計を用いて、視野：２°及び光源：Ｃの条件で測定されたａ*及びｂ*の絶対値が、それぞれ３５以下であるものをいう。
【００２５】
第１の色材の好適な具体例としては、下記一般式（Ｉ）で表される化合物を挙げることができる。一般式（Ｉ）で表される化合物は上記の条件を満たすブラック色材である。このため、一般式（Ｉ）で表される化合物は耐オゾン性に優れているとともに、化合物の安定性も優れているため特に好ましい。この一般式（Ｉ）で表される化合物の具体例は特許文献２に記載がある。なお、置換基の具体例については後述する。
【００２６】
2014065895.tif 000009
（前記一般式（Ｉ）中、Ｒ1及びＲ2はそれぞれ独立に、アニオン性基で置換されていてもよい、炭素数１乃至４のアルキル基又はアリール基を表し、Ｒ3はアリール基を表し、前記アリール基はシアノ基又はアニオン性基で置換されていてもよく、Ｍはそれぞれ独立に、水素原子、アルカリ金属、アンモニウム、又は有機アンモニウムを表す）
【００２７】
（第２の色材）
第２の色材は、１，２−ヘキサンジオール２０．０質量％水溶液中での最大吸収波長（λmaxD2）及び水中での最大吸収波長（λmaxW2）の差Δλmax2（＝λmaxD2−λmaxW2）が１２．０以下の色材である。また、第２の色材は、第１の色材による画像の耐オゾン性を損なうことなく、ソルバトクロミズム現象を示す第１の色材を用いることによって生じる色調変化を抑制するために、後述する特定の群より選ばれる色材を用いる必要がある。前記特定の群とは、下記一般式（II）で表される化合物、Ｃ．Ｉ．フードブラック２、下記一般式（III）で表される化合物、Ｃ．Ｉ．ダイレクトブルー１９９、下記一般式（IV）で表される化合物、下記一般式（Ｖ）で表される化合物、Ｃ．Ｉ．ダイレクトレッド２２７、Ｃ．Ｉ．アシッドレッド２８９、下記一般式（VI）で表される化合物、下記一般式（VII）で表される化合物、Ｃ．Ｉ．アシッドレッド２４９、Ｃ．Ｉ．ダイレクトイエロー１３２、Ｃ．Ｉ．アシッドイエロー２３、Ｃ．Ｉ．アシッドイエロー１７、及び下記一般式（VIII）で表される化合物で構成される。
【００２８】
第２の色材のΔλmax2が１２．０超であると、他のインクに含まれる水溶性有機溶剤による色調変化を抑制することができず、また、記録される画像の耐ブロンズ性が不十分となる。また、他のインクに含まれる水溶性有機溶剤による色調変化を十分に抑制するためには、Δλmax2の下限は−１５．０以上であることが好ましく、Δλmax2の上限は０．０以下であることがより好ましい。一概には言えないが、分子構造中、発色に寄与する構造部分の近傍にベンゼン環やナフタレン環などのヘテロ原子を有しない芳香環が存在する化合物は、Δλmax2が０．０以下となる傾向にある。なお、Δλmax2が０．０以下の化合物は、図４に示すように、高極性環境下において、励起状態（ＬＵＭＯ）が安定化される化合物である。
【００２９】
第２の色材の色相は特に限定されず、ブラック、シアン、マゼンタ、イエロー、レッド、グリーン、ブルーなど、どのような色相であってもよい。ブラック色材である第１の色材がわずかながらに有する色味をよりニュートラルなものに整えるために、少なくとも１種のカラー色材を用いることが好ましい。
【００３０】
さらに、第２の色材の具体例である、Ｃ．Ｉ．ナンバーが付与されている色材としては、Ｃ．Ｉ．フードブラック２、Ｃ．Ｉ．ダイレクトブルー１９９、Ｃ．Ｉ．ダイレクトレッド２２７、Ｃ．Ｉ．アシッドレッド２８９、Ｃ．Ｉ．アシッドレッド２４９、Ｃ．Ｉ．ダイレクトイエロー１３２、Ｃ．Ｉ．アシッドイエロー２３、Ｃ．Ｉ．アシッドイエロー１７を挙げることができる。これらはいずれもΔλmax2が１２．０以下であることを満たす色材である。
【００３１】
また、ブラック色材の具体例としては、上記のＣ．Ｉ．ナンバーが付与されているブラック色材の他に、下記の構造を有する化合物を挙げることができる。一般式（II）で表される化合物の具体例は特表２００２−５３５４３２号公報、また、一般式（III）で表される化合物の具体例は特許文献１に記載がある。
【００３２】
2014065895.tif 000010
（前記一般式（II）中、Ｒ4及びＲ5はそれぞれ独立に、ヒドロキシ基で置換された炭素数１乃至４のアルコキシ基を表し、ｎは１乃至３を表し、Ｍはそれぞれ独立に、水素原子、アルカリ金属、アンモニウム、又は有機アンモニウムを表す）
【００３３】
2014065895.tif 000011
（前記一般式（III）中、Ｒ6及びＲ7はそれぞれ独立に、アニオン性基で置換されていてもよいアリール基を表し、Ｍはそれぞれ独立に、水素原子、アルカリ金属、アンモニウム、又は有機アンモニウムを表す）
【００３４】
また、シアン色材の具体例としては、上記のＣ．Ｉ．ナンバーが付与されているシアン色材の他に、下記の構造を有する化合物を挙げることができる。一般式（IV）で表される化合物の具体例は特開２００３−２３１８３４号公報、また、一般式（Ｖ）で表される化合物の具体例は特開２００４−３２３６０５号公報、国際公開第２００７／０９１６３１号、国際公開第２０１２／０５００６１号に記載がある。
【００３５】
2014065895.tif 000012
（前記一般式（IV）中、Ｒ8はそれぞれ独立に、炭素数１乃至４のアルキル基を表し、前記アルキル基は、アニオン性基、スルホンアミド基、ヒドロキシ基、炭素数１乃至４のアルキル基、又はこれらのうち少なくとも２つを組み合わせた基で置換されていてもよく、ｎは３又は４を表す）
【００３６】
2014065895.tif 000013
（前記一般式（Ｖ）中、破線で表される環Ａ、Ｂ、Ｃ及びＤは、それぞれ独立に芳香環又は複素芳香環を表し、Ｒ9は１乃至３個のアニオン性基で置換されたアニリノ基を表し、Ｒ10はアミノ基又は炭素数１乃至４のアルコキシ基を表し、Ｒ11は炭素数１乃至４のアルキレン基を表し、Ｍはそれぞれ独立に、水素原子、アルカリ金属、アンモニウム、又は有機アンモニウムを表し、ｌは０乃至４、ｍは１乃至３、ｎは１乃至３、ｌ＋ｍ＋ｎは１乃至４を表す）
【００３７】
また、マゼンタ色材の具体例としては、上記のＣ．Ｉ．ナンバーが付与されているマゼンタ色材の他に、下記の構造を有する化合物を挙げることができる。一般式（VI）で表される化合物の具体例は特開２００６−１４３９８９号公報、また、一般式（VII）で表される化合物の具体例は国際公開第２００４／１０４１０８号、国際公開第２００８／０６６０６２号に記載がある。
【００３８】
2014065895.tif 000014
（前記一般式（VI）中、Ｒ12、Ｒ13、Ｒ14、及びＲ15はそれぞれ独立に、炭素数１乃至４のアルキル基を表し、Ｍはそれぞれ独立に、水素原子、アルカリ金属、アンモニウム、又は有機アンモニウムを表す）
【００３９】
2014065895.tif 000015
（前記一般式（VII）中、Ｒ16は水素原子又は炭素数１乃至４のアルキル基を表し、Ｒ17は１乃至３個のアニオン性基で置換されたアリールオキシ基、又はヒドロキシ基を表し、ｎは１又は２を表し、ｎ＝１のときＲ18は１乃至３のアニオン性基で置換されたアリール基を表し、ｎ＝２のときＲ18は炭素数１乃至４のアルキレン基を表し、Ｍはそれぞれ独立に、水素原子、アルカリ金属、アンモニウム、又は有機アンモニウムを表す）
【００４０】
また、イエロー色材の具体例としては、上記のＣ．Ｉ．ナンバーが付与されているイエロー色材の他に、下記の構造を有する化合物を挙げることができる。一般式（VIII）で表される化合物の具体例は国際公開第２００６／００１２７４号、国際公開第２００８／０５３７７６号に記載がある。
【００４１】
2014065895.tif 000016
（前記一般式（VIII）中、Ｒ19はアニオン性基を有する炭素数１乃至４の脂肪族アミン残基を表し、Ｒ20はそれぞれ独立に、水素原子、炭素数１乃至４のアルキル基、又は炭素数１乃至４のアルコキシ基を表し、前記アルキル基及びアルコキシ基はアニオン性基で置換されていてもよく、ｎは０又は１を表し、Ｍは、それぞれ独立に水素原子、アルカリ金属、アンモニウム、又は有機アンモニウムを表し、ｌ及びｍはそれぞれ独立に１又は２を表す）
【００４２】
第１の色材及び第２の色材の好適な具体例として挙げた一般式（Ｉ）〜（VIII）における置換基の具体例を以下に示す。炭素数１乃至４のアルキル基としては、メチル基、エチル基、ｎ−プロピル基、ｉ−プロピル基、ｎ−ブチル基、ｔ−ブチル基などを挙げることができる。炭素数１乃至４のアルコキシ基としては、メトキシ基、エトキシ基、プロポキシ基、ブトキシ基などを挙げることができる。炭素数１乃至４のアルキレン基としては、メチレン基、エチレン基、プロピレン基、ブチレン基などを挙げることができる。アリール基としては、フェニル基、ナフチル基などを挙げることができる。アリールオキシ基としては、フェノキシ基、ナフトキシ基などを挙げることができる。
【００４３】
また、アニオン性基としては、カルボキシ基、スルホン酸基、リン酸基、ホスホン酸基などを挙げることができ、これらのアニオン性基は遊離酸型及び塩型のいずれであってもよい。アニオン性基のカウンターイオン（Ｍ）は、各一般式におけるＭと同義であり、水素原子、アルカリ金属、アンモニウム、又は有機アンモニウムである。アルカリ金属としては、ナトリウム、リチウム、カリウムなどを挙げることができる。また、有機アンモニウムとしては、メチルアミン、エチルアミンなどの炭素数１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数１以上４以下のモノ、ジ又はトリアルカノールアミン類などを挙げることができる。
【００４４】
前記第２の色材の中でも、一般式（II）で表される化合物、Ｃ．Ｉ．フードブラック２、Ｃ．Ｉ．ダイレクトブルー１９９、一般式（IV）で表される化合物、一般式（Ｖ）で表される化合物、Ｃ．Ｉ．ダイレクトレッド２２７、Ｃ．Ｉ．アシッドレッド２８９、一般式（VI）で表される化合物、一般式（VII）で表される化合物、Ｃ．Ｉ．アシッドレッド２４９、Ｃ．Ｉ．アシッドイエロー２３、Ｃ．Ｉ．アシッドイエロー１７、及び一般式（VIII）で表される化合物からなる群より選ばれる少なくとも１種が好ましい。また、本発明においては、前述の通り、第２の色材として、Δλmax2が０．０以下であるものを用いることが好ましい。このような第２の色材としては、前記一般式（III）で表される化合物、Ｃ．Ｉ．アシッドレッド２４９、前記一般式（VIII）で表される化合物を挙げることができる。なかでも、前記一般式（VIII）で表される化合物は、ブラック色材である第１の色材がわずかながらに有する色味を特にニュートラルなものに整えることができるために、好適である。特に、Ｒ19が−ＮＨ−ＣＨ2ＣＨ2−ＳＯ3Ｍ（Ｍは、水素原子、アルカリ金属、アンモニウム、又は有機アンモニウムを表す）である一般式（VIII）で表される化合物が好適である。
【００４５】
（その他の色材）
本発明の効果が損なわれない限り、第１の色材及び第２の色材以外のその他の色材（第３の色材）をさらにインクに含有させてもよい。第３の色材が存在することによって、Δλmaxの和が３５．０を超える場合もあり得る。しかし、２種の色材の組み合わせが本発明の要件を満たさない場合に第３の色材を追加する場合と比較して、２種の色材の組み合わせが本発明の要件を満たす場合に第３の色材を追加したほうが、色調変化を明らかに抑制することができる。ただし、１種以上の第３の色材を使用する場合には、その含有量を第１の色材又は第２の色材の含有量以下とすることが好ましく、第２の色材の含有量よりも少なくすることがより好ましい。なお、１種以上の第３の色材を使用する場合には、インク中の色材の含有量の合計を、インク全質量を基準として、１．０質量％以上６．０質量％以下とすることが好ましい。また、インク中の全ての色材についてのΔλmaxの和（Δλmax1＋Δλmax2＋Δλmax3＋…）が３５．０以下であることが特に好ましい。なお、Δλmax3は、Δλmax1やΔλmax2と同様にして定義される値である。
【００４６】
（色材の含有量）
本発明のインクは、グレー〜ブラックの色調を有するインクであることが好ましい。本発明におけるグレー〜ブラックの色調とは、シアン、マゼンタ、イエローなどのカラー（有彩色）ではない色調、すなわち無彩色のことを意味し、明度は問わない。つまり、本発明のインクは、ブラックインク（濃インク）やグレーインク（淡インク）、さらには淡グレーインクとすることができる。したがって、インクの色調をグレー〜ブラックに調整するために、インク中の第２の色材の含有量は、ブラック色材である第１の色材の含有量よりも少なくすることが好ましい。より具体的には、インク全質量を基準とした、第１の色材の含有量（質量％）が、第２の色材の含有量（質量％）に対する質量比率で、１．０倍以上１０．０倍以下であることが好ましい。
【００４７】
インク中の第１の色材の含有量（質量％）は、インク全質量を基準として、０．１質量％以上５．９質量％以下であることが好ましい。また、インク中の第２の色材の含有量（質量％）は、インク全質量を基準として、０．１質量％以上５．９質量％以下であることが好ましい。インク中の第１の色材の含有量（質量％）及び第２の色材の含有量（質量％）の合計は、インク全質量を基準として、６．０質量％以下であることを要する。含有量の合計が６．０質量％超であると、インクの耐固着性が不十分となる。なお、インク中の第１の色材の含有量（質量％）及び第２の色材の含有量（質量％）の合計は、０．５質量％以上であることが好ましく、１．０質量％以上であることがさらに好ましい。
【００４８】
（水性媒体）
本発明のインクには、水、又は水及び水溶性有機溶剤の混合溶媒である水性媒体を用いることができる。また、本発明のインクは、水性媒体として少なくとも水を含有する、水性のインクであることが好ましい。水は、脱イオン水（イオン交換水）を用いることが好ましい。インク中の水の含有量（質量％）は、インク全質量を基準として、１０．０質量％以上９０．０質量％以下であることが好ましい。
【００４９】
水溶性有機溶剤は、水溶性であれば特に制限はなく、アルコール、多価アルコール、ポリグリコール、グリコールエーテル、含窒素極性溶媒、含硫黄極性溶媒などを用いることができる。また、水溶性有機溶剤としては、常温（２５℃）における蒸気圧が水よりも低いものを用いることが好ましい。インク中の水溶性有機溶剤の含有量（質量％）は、インク全質量を基準として、５．０質量％以上９０．０質量％以下、さらには１０．０質量％以上５０．０質量％以下であることが好ましい。なお、この水溶性有機溶剤の含有量は、必要に応じて使用しうる、グリセリン、第１の水溶性有機溶剤、及び第２の水溶性有機溶剤の含有量を含む値である。水溶性有機溶剤の含有量が上記した範囲を外れると、高いレベルのインクの吐出安定性が十分に得られない場合がある。
【００５０】
〔グリセリン〕
本発明のインクは、グリセリンをさらに含有することが好ましい。グリセリンを含有することにより、記録される画像の耐湿性を向上させることができる。グリセリンを含有させることにより画像の耐湿性が向上する理由について説明する。第１の色材は、インクの極性によって色調が変化しやすいという特性を有する。第１の色材を含有するインクによって記録された画像を高湿度の環境下に放置すると、第１の色材と、高極性の物質である大気中の水分とが接触することにより、画像が変色し、耐湿性が低下しやすい。したがって、グリセリンのような高極性の水溶性有機溶剤をインクに含有させておくと、このインクによって記録された画像における第１の色材の色調は、高極性環境下での色調となる。すなわち、グリセリンを含有するインク中での第１の色材の色調は、既に高極性環境下における色調となっているため、高湿度環境下で第１の色材と水分が接触しても、変色の程度が小さい。インク中のグリセリンの含有量（質量％）は、インク全質量を基準として、１．０質量％以上３０．０質量％以下であることが好ましく、２．０質量％以上２０．０質量％以下であることがさらに好ましい。
【００５１】
〔第１の水溶性有機溶剤、第２の水溶性有機溶剤〕
本発明のインクは、グリセリンとともに、グリセリンよりも極性が相対的に低い水溶性有機溶剤を、グリセリンの含有量に対する所定の質量比率となるように含有することが好ましい。まず、水溶性有機溶剤の極性を示す指標とするＬｏｇＰ（Ｌｏｇ  Ｐｏｗ）について説明する。ＬｏｇＰとは、水とオクタノール（１−オクタノール）の分配係数のことをいう。ＬｏｇＰは対象物質の水へのなじみやすさに関連する物性値であり、この値が大きいほど極性は低くなる。ＬｏｇＰは、ＬｏｇＰ＝Ｌｏｇ10Ｃo／Ｃw（Ｃoはオクタノール相中の対象物質の濃度を表し、Ｃwは水相中の対象物質の濃度を表す）の関係式により算出される。ＬｏｇＰは、ＪＩＳ  Ｚ  ７２６０−１０７に記載の方法で実験的に求めることもできる。また、商品名「ＡＣＤ／ＰｈｙｓＣｈｅｍ  Ｓｕｉｔｅ」（ＡＣＤ／Ｌａｂｓ製）などの市販の計算ソフトを利用して求めることもできる。後述する実施例においては、商品名「ＡＣＤ／ＰｈｙｓＣｈｅｍ  Ｓｕｉｔｅ  Ｖｅｒｓｉｏｎ  １２．００」（ＡＣＤ／Ｌａｂｓ製）を使用して求めた値を採用した。各種の水溶性有機溶剤のＬｏｇＰ値を表１に示す。
【００５２】
2014065895.tif 000017
【００５３】
本発明のインクは、以下の条件Ａ及び条件Ｂの少なくとも一方と、条件Ｃと、を満足することが、記録される画像の耐湿性及び耐ブロンズ性を特に顕著に向上させることができるために好ましい。
条件Ａ：ＬｏｇＰ値が−１．８以上０．０未満である第１の水溶性有機溶剤を含有し、インク全質量を基準とした、前記第１の水溶性有機溶剤の含有量（質量％）が、前記グリセリンの含有量（質量％）に対する質量比率で、０．３倍以上６．０倍以下である。
条件Ｂ：ＬｏｇＰ値が０．０以上０．９以下である第２の水溶性有機溶剤を含有し、インク全質量を基準とした、前記第２の水溶性有機溶剤の含有量（質量％）が、前記グリセリンの含有量（質量％）に対する質量比率で、０．２倍以上１．０倍以下である。
条件Ｃ：インク全質量を基準とした、ＬｏｇＰ値が−１．８以上０．９以下の水溶性有機溶剤の含有量（質量％）が、前記グリセリンの含有量（質量％）に対する質量比率で、０．２倍以上６．０倍以下である。
【００５４】
第１の色材及びグリセリンを含有するインクを用いて記録した画像は、前述の通り、耐湿性に優れている。しかし、グリセリンが存在する高極性環境下においては、第１の色材の分極は安定化されるため、分極はより大きくなる。このようなインクを記録媒体に付与して記録した画像においては、記録媒体に含まれるカチオン性成分（アルミナやその水和物、カチオン性樹脂、填料など）に第１の色材が吸着されやすい。また、第１の色材の分極が大きいため、会合が顕著に促進され、第１の色材が記録媒体の表面やその近傍に定着しやすくなる。結果として、記録媒体へのさらなるインクの浸透が抑制されるため、インクが記録媒体の表面にあふれた状態、つまりブロンズ現象が生じやすくなる場合がある。すなわち、第１の色材を含有するインク中にグリセリンが存在する場合、このインクにより記録される画像の耐湿性と耐ブロンズ性は相反する関係にあるので、これらの特性を高いレベルで両立するのは困難であると言える。このような課題に鑑み、本発明者らがさらなる検討を行った結果、上記の条件Ａ及び条件Ｂの少なくとも一方と、条件Ｃと、を満足することで、インクの極性が適度に低下することがわかった。さらに、第１の色材の分極と、それに基づく第１の色材の会合が適度に抑制されることで、耐湿性を満足しながら耐ブロンズ性を向上可能であることを見出した。
【００５５】
本発明においては、第１の水溶性有機溶剤が、主鎖の両末端にヒドロキシ基を有し、これら２つのヒドロキシ基の間に存在する主鎖の原子数が４乃至６個の化合物であることが好ましい。このような化合物を第１の水溶性有機溶剤として用いることで、耐湿性及び耐ブロンズ性を特に高いレベルで得ることができる。前述の通り、第１の色材は、グリセリンが存在する場合のような高極性環境下では分極が大きい状態にある。ここで、第１の水溶性有機溶剤として、主鎖の両末端にヒドロキシ基を有し、これら２つのヒドロキシ基の間に存在する主鎖の原子数が４乃至６個の化合物を用いると、第１の色材と第１の水溶性有機溶剤とがヒドロキシ基を介して会合する。これにより、第１の色材の分極状態が安定化される。その分極状態が安定化された第１の色材は、前記化合物の存在によって高極性環境下のような色調を保つため、優れた耐湿性を示す。これに加えて、第１の色材と前記化合物との会合により、第１の色材同士の会合が抑制されるため、ブロンズ現象が抑制されると考えられる。
【００５６】
ここで、主鎖とは、ある化合物における最長の炭素鎖（２価以上の原子が複数の炭素間に挟まれていてもよい）を意味し、主鎖の原子数とはヒドロキシ基以外の原子について数えるものとする。ジエチレングリコールを例に挙げて説明すると、主鎖は−Ｃ−Ｃ−Ｏ−Ｃ−Ｃ−であり、主鎖の原子数は５となる。第１の水溶性有機溶剤の好ましい例である、主鎖の両末端にヒドロキシ基を有し、これら２つのヒドロキシ基の間に存在する主鎖の原子数が４乃至６個の化合物の具体例としては、ジエチレングリコール、１，４−ブタンジオール、１，５−ペンタンジオール、３−メチル−１，５−ペンタンジオール、１，６−ヘキサンジオールなどを挙げることができる。
【００５７】
（その他の添加剤）
本発明のインクは、上記した成分以外にも必要に応じて、トリメチロールプロパン、トリメチロールエタンなどの多価アルコール類や、尿素、エチレン尿素などの尿素誘導体などの、常温で固体の水溶性有機化合物を含有してもよい。さらに、本発明のインクは、必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【００５８】
（その他のインク）
フルカラーの画像などを形成するために、本発明のインクと、本発明のインクとは別の色相を有するその他のインクとを組み合わせて用いることができる。その他のインクとしては、例えば、ブラックインク、シアンインク、マゼンタインク、イエローインク、レッドインク、グリーンインク、及びブルーインクからなる群より選択される少なくとも一種のインクを挙げることができる。また、これらのインクと実質的に同一の色相を有する、いわゆる淡インクをさらに組み合わせて用いることもできる。その他のインクや淡インクに用いられる色材は、公知の染料であっても、新規に合成された染料であってもよい。
【００５９】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００６０】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００６１】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００６２】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００６３】
＜色材の準備＞
（ブラック色材１）
特許文献２の記載を参考にして、遊離酸型として下記式で表される化合物（ブラック色材１）のリチウム塩とナトリウム塩（８０％：２０％）の混合物を合成した。
【００６４】
2014065895.tif 000018
【００６５】
（ブラック色材２）
国際公開第２０１２／０８１６４０号の記載を参考にして、遊離酸型として下記式で表される化合物（ブラック色材２）のリチウム塩とナトリウム塩（８０％：２０％）の混合物を合成した。
【００６６】
2014065895.tif 000019
【００６７】
（ブラック色材３）
特表２００２−５３５４３２号公報の記載を参考にして、遊離酸型として下記式で表される化合物（ブラック色材３）のナトリウム塩を合成した。
【００６８】
2014065895.tif 000020
【００６９】
（ブラック色材４）
特許文献１の記載を参考にして、遊離酸型として下記式で表される化合物（ブラック色材４）のリチウム塩を合成した。
【００７０】
2014065895.tif 000021
【００７１】
（シアン色材１）
特開２００３−２３１８３４号公報の記載を参考にして、遊離酸型として下記式で表される化合物（シアン色材１）のリチウム塩を合成した。
【００７２】
2014065895.tif 000022
【００７３】
（シアン色材２）
特開２００４−３２３６０５号公報の記載を参考にして、遊離酸型として下記式で表される化合物（シアン色材２）のナトリウム塩を合成した。
【００７４】
2014065895.tif 000023
【００７５】
（シアン色材３）
国際公開第２００７／０９１６３１号の記載を参考にして、遊離酸型として下記式で表される化合物（シアン色材３）のナトリウム塩を合成した。
【００７６】
2014065895.tif 000024
【００７７】
（マゼンタ色材１）
特開２００６−１４３９８９号公報の記載を参考にして、遊離酸型として下記式で表される化合物（マゼンタ色材１）のリチウム塩を合成した。
【００７８】
2014065895.tif 000025
【００７９】
（マゼンタ色材２）
国際公開第２００８／０６６０６２号の記載を参考にして、遊離酸型として下記式で表される化合物（マゼンタ色材２）のナトリウム塩を合成した。
【００８０】
2014065895.tif 000026
【００８１】
（イエロー色材１）
特開２００４−０８３９０３号公報の記載を参考にして、遊離酸型として下記式で表される化合物（イエロー色材１）のカリウム塩を合成した。
【００８２】
2014065895.tif 000027
【００８３】
（イエロー色材２）
国際公開第２００６／０８２６６９号の記載を参考にして、遊離酸型として下記式で表される化合物（イエロー色材２）のカリウム塩を合成した。
【００８４】
2014065895.tif 000028
【００８５】
（イエロー色材３）
国際公開第２００６／００１２７４号の記載を参考にして、遊離酸型として下記式で表される化合物（イエロー色材３）のナトリウム塩を合成した。
【００８６】
2014065895.tif 000029
【００８７】
（イエロー色材４）
国際公開第２００８／０５３７７６号の記載を参考にして、遊離酸型として下記式で表される化合物（イエロー色材４）のナトリウム塩を合成した。
【００８８】
2014065895.tif 000030
【００８９】
＜Δλmaxの測定＞
各色材について、ＵＶ−Ｖｉｓ吸収スペクトルにおける、１，２−ヘキサンジオール２０．０％水溶液中での最大吸収波長（λmaxD）及び水中での最大吸収波長（λmaxW）の差Δλmax（＝λmaxD−λmaxW）を測定した。１，２−ヘキサンジオール２０．０％水溶液、又はイオン交換水を用いて、各色材の含有量が０．００２〜０．００５％となるように希釈し、λmaxD及びλmaxWを測定した。測定条件を以下に示す。そして、測定した値からΔλmax＝λmaxD−λmaxWの値を求めた。結果を表２に示す。なお、λmaxの単位は「ｎｍ」である。
・分光光度計：自記分光光度計（商品名「Ｕ−３３００」、日立製作所製）
・測定セル：１ｃｍ  石英セル
・サンプリング間隔：０．１ｎｍ
・スキャン速度：３０ｎｍ／ｍｉｎ
【００９０】
2014065895.tif 000031
【００９１】
＜インクの調製＞
表３−１〜３−５及び表４−１〜４−４の上段に示す各成分（単位：％）を混合し、十分に撹拌した後、ポアサイズ０．２０μｍのフィルターで加圧ろ過して各インクを調製した。なお、表３−１〜３−５及び表４−１〜４−４中の「アセチレノールＥ１００」はノニオン性界面活性剤（川研ファインケミカル製）の商品名である。また、色材に付した括弧内の数値はΔλmaxの値である。表３−１〜３−５及び表４−１〜４−４の下段には、インクの調製に用いた第１の色材及び第２の色材の組み合わせについて、Δλmax1＋Δλmax2の値（ｎｍ）を示した。また、表４−１〜４−４の下段には、グリセリンの含有量（％）に対する、第１の水溶性有機溶剤の含有量（％）の質量比率を「第１の溶剤／グリセリン」として示した。また、グリセリンの含有量（％）に対する、第２の水溶性有機溶剤の含有量（％）の質量比率を「第２の溶剤／グリセリン」として示した。さらに、グリセリンの含有量（％）に対する、ＬｏｇＰ値が−１．８以上０．９以下の水溶性有機溶剤の含有量（％）の質量比率を「特定の溶剤／グリセリン」として示した。
【００９２】
表３−１〜３−５に示した実施例及び比較例は、極性を異ならせた２種類のインク組成で構成される。インクの極性は、低誘電率の水溶性有機溶剤である１，２−ヘキサンジオールと、高誘電率の水溶性有機溶剤であるグリセリンとを使い分けることにより異ならせた。具体的には、グリセリンを使用する組成（Ｈ）とすることでインクの極性を相対的に高くし、１，２−ヘキサンジオールを使用する組成（Ｌ）とすることでインクの極性を相対的に低くした。表３−１〜３−５に示した実施例及び比較例については、組成（Ｈ）及び組成（Ｌ）を利用して色調を評価し、組成（Ｌ）を利用して耐オゾン性を評価した。なお、色調及び耐オゾン性の評価結果を表５に示した。また、表４−１〜４−４に示した実施例及び比較例は、表３−１〜３−５に示した色材の組み合わせの一部を利用し、インク組成を異ならせたものである。表４−１〜４−４に示した実施例及び比較例については、耐湿性及び耐ブロンズ性を評価した。耐湿性及び耐ブロンズ性の評価結果を表６に示した。
【００９３】
2014065895.tif 000032
【００９４】
2014065895.tif 000033
【００９５】
2014065895.tif 000034
【００９６】
2014065895.tif 000035
【００９７】
2014065895.tif 000036
【００９８】
2014065895.tif 000037
【００９９】
2014065895.tif 000038
【０１００】
2014065895.tif 000039
【０１０１】
2014065895.tif 000040
【０１０２】
＜評価＞
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／６００インチ×１／６００インチの単位領域に２２ｎｇのインクを付与して記録したベタ画像を「記録デューティが１００％である」と定義する。このインクジェット記録装置を用いて、温度２３℃、相対湿度５５％の環境で、記録媒体（ＰＴ−１０１；キヤノン製）に、記録デューティが５０％及び８０％であるベタ画像を記録した記録物を作製した。得られた記録物を、温度２３℃、相対湿度５５％の環境で２４時間乾燥させた。画像の測色は、分光光度計（商品名「Ｓｐｅｃｔｏｒｏｌｉｎｏ」、Ｇｒｅｔａｇ  Ｍａｃｂｅｔｈ製）を用いて、光源：Ｄ５０、視野：２°の条件で、Ｌ、ａ、ｂ、及び光学濃度を測定して行った。なお、Ｌ、ａ及びｂは、ＣＩＥ（国際照明委員会）により規定されたＬ*ａ*ｂ*表示系におけるＬ*、ａ*及びｂ*である。
【０１０３】
（色調）
表３−１〜３−５に示した実施例及び比較例の各インクを用いて得られた記録物における、記録デューティが５０％であるベタ画像の測色を行った。組成Ｈでの各値をａ1及びｂ1とし、組成Ｌでの各値をａ2及びｂ2とした。得られたａｂ値から、ΔＣ*＝｛（ａ1−ａ2）2＋（ｂ1−ｂ2）2｝1/2を算出し、以下に示す評価基準にしたがって色調を評価した。評価結果を表５に示す。本評価では、他のインクと重ね合わせて画像を記録することを想定して、組成Ｈ及び組成Ｌの各インクで記録したそれぞれの画像からΔＣ*を求めた。ΔＣ*が小さい場合、インクの極性が異なる場合であっても、画像の色調の差が小さく、色調変化が抑制されていることを意味する。本発明においては、下記の評価基準でＡＡ及びＡを許容できるレベル、Ｂ及びＣを許容できないレベルとした。
ＡＡ：ΔＣ*が５未満であった。
Ａ：ΔＣ*が５以上８未満であった。
Ｂ：ΔＣ*が８以上であった。
Ｃ：画像にブロンズが見られた。
【０１０４】
（耐オゾン性）
表３−１〜３−５に示した実施例及び比較例の組成Ｌの各インクを用いて得られた記録物における、記録デューティが５０％であるベタ画像の光学濃度を測定した（耐オゾン性試験前の光学濃度）。この記録物をオゾン試験装置（商品名「ＯＭＳ−Ｈ」、スガ試験機製）中に載置し、槽内温度２３℃、相対湿度５０％、オゾンガス濃度１０ｐｐｍの条件で２４時間、オゾン曝露を行った。その後、記録物におけるベタ画像の光学濃度を測定した（耐オゾン性試験後の光学濃度）。得られた耐オゾン性試験前の光学濃度及び耐オゾン性試験後の光学濃度から、光学濃度の残存率＝（耐オゾン性試験後の光学濃度／耐オゾン性試験前の光学濃度）×１００（％）の値を算出し、以下に示す評価基準にしたがって耐オゾン性を評価した。評価結果を表５に示す。本発明においては、下記の評価基準でＡを許容できるレベル、Ｂ、Ｃ及びＤを許容できないレベルとした。
Ａ：光学濃度の残存率が８５％以上であった。
Ｂ：光学濃度の残存率が８０％以上８５％未満であった。
Ｃ：光学濃度の残存率が５０％以上８０％未満であった。
Ｄ：光学濃度の残存率が５０％未満であった。
【０１０５】
（耐湿性）
表４−１〜４−４に示した実施例及び比較例の各インクを用いて得られた記録物における、記録デューティが５０％であるベタ画像のＬ1、ａ1及びｂ1を測定した（耐湿性試験前のＬａｂ値）。この記録物を温度２５℃、相対湿度８５％の環境に３日間載置した後、さらに温度２３℃、相対湿度５５％の環境に２４時間載置した。その後、記録物におけるベタ画像のＬ2、ａ2及びｂ2を測定した（耐湿性試験後のＬａｂ値）。得られた耐湿性試験前のＬａｂ値及び耐湿性試験後のＬａｂ値から、ΔＥ（色差）＝｛（Ｌ1−Ｌ2）2＋（ａ1−ａ2）2＋（ｂ1−ｂ2）2｝1/2を算出し、以下に示す評価基準にしたがって耐湿性を評価した。評価結果を表６に示す。下記の評価基準でＡＡ、Ａ及びＢを許容できるレベル、Ｃを許容できないレベルとした。
ＡＡ：ΔＥが２．０未満であった。
Ａ：ΔＥが２．０以上２．５未満であった。
Ｂ：ΔＥが２．５以上４．０未満であった。
Ｃ：ΔＥが４．０以上であった。
【０１０６】
（耐ブロンズ性）
表４−１〜４−４に示した実施例及び比較例の各インクを用いて得られた記録物における、記録デューティが８０％であるベタ画像を目視で確認して、下記の評価基準にしたがって耐ブロンズ性を評価した。評価結果を表６に示す。本発明においては、下記の評価基準でＡＡ、Ａ及びＢを許容できるレベル、Ｃ及びＤを許容できないレベルとした。
ＡＡ：ブロンズ現象がみられなかった。
Ａ：角度によっては色変化が若干みられた。
Ｂ：角度によってはギラツキが若干みられた。
Ｃ：ギラツキがみられた。
Ｄ：ギラツキが目立った。
【０１０７】
2014065895.tif 000041
【０１０８】
2014065895.tif 000042
【０１０９】
（耐固着性）
実施例１３〜４８のインクにおける第２の色材の含有量を０．５％から３．５％に増やし、イオン交換水の含有量をそれぞれ３．０％減らした（合計１００．０％）以外は同様の組成で、比較例２１〜５６のインクを調製した。そして、実施例１３〜４８及び比較例２１〜５６のインクをそれぞれインクカートリッジに充填し、上記と同様のインクジェット記録装置に搭載した。このインクジェット記録装置を用いて、記録ヘッドの回復操作（クリーニング）を１回行った後、ノズルチェックパターンを記録し、正常に記録が行われていることを確認した。その後、キャリッジが動作している途中で電源ケーブルを引き抜くことにより、記録ヘッドにキャッピングが行われていない状態とした。この状態のまま、インクジェット記録装置を温度３０℃、相対湿度１０％の条件で１４日間放置した。その後、このインクジェット記録装置を用いて、回復操作を行った後、ノズルチェックパターンを記録する、という手順を繰り返した。
【０１１０】
得られたノズルチェックパターンを目視で観察し、耐固着性を評価した。その結果、実施例１３〜４８のインクは１〜３回の回復操作により、全ての吐出口が吐出可能な状態に回復し、ノズルチェックパターンが正常に記録されていた。一方、比較例２１〜５６のインクを用いた場合、３回の回復操作を行ってもインクの吐出ができない吐出口が多数あり、ノズルチェックパターンを正常に記録できなかった。
【図１】
2014065895.tif 000051
【図２】
2014065895.tif 000052
【図３】
2014065895.tif 000053
【図４】
2014065895.tif 000054